(57)【要約】摺動可能に第一容器（２）を収容するための第二容器（４）を含み、閉鎖位置と開放位置との間で第二容器（４）に対して摺動するように第二容器（４）内に収納されたタバコ製品（３）を収容するための第一容器（２）を有し、第一容器（２）および第二容器（４）の各々は実質的平行六面体であり、かつ二つの端壁（５，６，１３，１４）、および端壁（５，６，１３，１４）により制限され、かつ実質的平行に対峙する主側壁（８，１６）と少なくとも一つの小側壁（９，１７）とにより画定された側面（７，１５）を有し、第一容器（２）および第二容器（４）の主側壁（８，１６）は同一凹面および同一曲率半径（Ｒ）を有する湾曲壁であり、前記曲率半径は各主側壁（８，１６）の全長に沿って一定である、タバコ製品用硬質パケット。
2006519142.tif 000002
【特許請求の範囲】
【請求項１】
タバコ製品（３）を収容するための第一容器（２）、および摺動可能に第一容器（２）を収容するための第二容器（４）を含み、第一容器（２）が完全に第二容器（４）内へ挿入される閉鎖位置と、第一容器（２）の一部が第二容器（４）から引出される開放位置との間で第一容器（２）が第二容器（４）に対して摺動可能に構成され、
第一容器（２）および第二容器（４）の各々が実質的平行六面体であり、かつ
上下端壁（５，６，１３，１４）、および上下端壁（５，６，１３，１４）によって制限され、かつ実質的平行に対峙する主側壁（８，１６）と、対応する長手縁（１０，１８）により主側壁（８，１６）から分離した少なくとも一つの小側壁（９，１７）とによって画定された側面（７，１５）を含むタバコ製品用硬質パケットにおいて、
第一容器（２）および第二容器（４）のそれぞれの前記主側壁（８，１６）は同一凹面および同一曲率半径（Ｒ）を有する湾曲壁であり、前記曲率半径は各主側壁（８，１６）の全長に沿って一定であることを特徴とする、タバコ製品用硬質パケット。
【請求項２】
第一容器（２）および第二容器（４）の長手縁（１０，１８）は円弧状であって角張った縁でないことを特徴とする、請求項１の硬質パケット。
【請求項３】
第一容器（２）および第二容器（４）の前記小側壁（９，１７）および前記上下端壁（５，６，１３，１４）はフラット壁であることを特徴とする、請求項１または２の硬質パケット。
【請求項４】
第二容器（４）の側面（７）は平行に対峙する二つの主側壁（８）、二つの長手縁（１０）により主側壁（８）から分離した小側壁（９）、および前記小側壁（９）と平行かつ前記小側壁（９）の反対側にあって第一容器（２）の通過を可能にする開放端（１１）を含み、
第一容器（２）の側面（１５）は平行に対峙する二つの主側壁（１６）、および四つの長手縁（１８）により主側壁（１６）から分離した平行に対峙する二つの小側壁（１７）を含み、
第一容器（２）の上端壁（１４）は、第一容器（２）が開放位置のときに第一容器（２）からのタバコ製品（３）の抜き取りを可能にする開口部（２０）、および第一容器（２）が閉鎖位置のときに第二容器（４）の主側壁（８）および小側壁（９）が第一容器（２）と整列しかつ対応する主側壁（１６）および小側壁（１７）に対面することを特徴とする、請求項１から３のいずれか１の硬質パケット。
【請求項５】
第二容器（４）の小側壁（９）は使用者の指の挿入を可能にする寸法の少なくとも一つの貫通孔（１２）を含むことを特徴とする、請求項４の硬質パケット。
【請求項６】
第二容器（４）の各主側壁（８）は開放端（１１）の近くに凹部を含むことを特徴とする、請求項４または５の硬質パケット。
【請求項７】
第二容器（４）に対する第一容器（２）の摺動を制限しかつ第二容器（４）からの第一容器（２）の離脱を阻止するための停止手段を含むことを特徴とする、請求項４、５または６の硬質パケット。
【請求項８】
前記停止手段は、第一容器（２）のそれぞれの主側壁（１６）から第一容器（２）の外方へ突出した少なくとも一つの第一舌部、および第二容器（４）のそれぞれの主側壁（８）から第二容器（４）の内方へ突出しかつ第二容器（４）の開放端（１１）の近くに設置された第二舌部を含み、
第一舌部および第二舌部は、第一容器（２）が第二容器（４）から摺動するときに第一舌部が第二舌部と係合するように設置されていることを特徴とする、請求項７の硬質パケット。
【請求項９】
第二容器（４）の主側壁（８）の長手を横切る寸法は、第一容器（２）の主側壁（１６）の対応する長手を横切る寸法よりも小さく、そのようにして第二容器（４）は、第一容器（２）が閉鎖位置のときに、第二容器（４）の開放端（１１）に対面する第一容器（２）の二つの長手縁（１８）を被覆しないことを特徴とする、請求項４から８のいずれか１の硬質パケット。
【請求項１０】
第一容器（２）の二つの小側壁（１７）は相互に対して平行であることを特徴とする、請求項１から９のいずれか１の硬質パケット。
【請求項１１】
第一容器（２）の二つの小側壁（１７）は一点に集中していることを特徴とする、請求項１から９のいずれか１の硬質パケット。
【請求項１２】
第一容器（２）の二つの小側壁（１７）は、主側壁（８，１６）の曲率半径（Ｒ）の８０％から１２０％の範囲で第一容器（２）重心から間隔をおいた点に向かって集中していることを特徴とする、請求項１１の硬質パケット。
【請求項１３】
第一容器（２）の二つの小側壁（１７）は分岐していることを特徴とする、請求項１から９のいずれか１の硬質パケット。
【発明の詳細な説明】
【技術分野】
【０００１】
本発明はタバコ製品用の摺動開放型硬質パケットに関する。
本発明は硬質シガレットパケットに特に有利に使用でき、これに関する続く説明は単に例示として記載される。
【背景技術】
【０００２】
摺動開放型硬質パケットは特許出願ＦＲ−２４９９９４７−Ａ３、特許ＵＳ−４５３４４６３−Ａ１またはＵＳ−５０８０２２７−Ａ１に記載されたタイプとして既知である。摺動開放型硬質パケットは、第一容器を含み、第一容器はシート状フォイルに包まれた一群のシガレットを収容し、かつ第一容器が完全に第二容器内に挿入される閉鎖位置と第一容器の一部が第二容器から引出される開放位置との間で第二容器に対して摺動するように第二容器内へ収納される。各容器は実質的平行六面体であり、かつ二つの端壁、および二つの端壁により制限されかつ対応する直線長手縁により相互から分離した側壁により形成された側面を含む。
【０００３】
製造が比較的簡単であることにより市販されかつ喫煙者に概ね愛好されているが、上述タイプの摺動開放型硬質シガレットパケットは、非解剖学的形状、および内部シガレットの安全保護に欠ける点を考慮すると幾つかの欠点を有する。即ち、パケットが使用者のポケットの内側にあるときに、内容器は摺動開放する傾向があり、そのためにシガレットがパケットから落下する結果とになる。
【０００４】
【特許文献１】ＦＲ−２４９９９４７−Ａ３
【特許文献２】ＵＳ−４５３４４６３−Ａ１
【特許文献３】ＵＳ−５０８０２２７−Ａ１
【発明の開示】
【発明が解決しようとする課題】
【０００５】
本発明の課題は、上述の欠点を解消するように設計され、かつ特に廉価かつ製造の容易なタバコ製品用硬質パケットを提供することにある。
【課題を解決するための手段】
【０００６】
本発明によれば、タバコ製品用硬質パケットはタバコ製品を収容するための第一容器、および摺動可能に第一容器を収容するための第二容器を含み、第一容器が完全に第二容器内へ挿入される閉鎖位置と、第一容器の一部が第二容器から引出される開放位置との間で第一容器を第二容器に対して摺動するように構成され、第一容器および第二容器の各々が実質的平行六面体であって、上下端壁、および前記上下端壁により制限され、かつ実質的平行に対峙する主側壁と、対応する長手縁により前記主側壁から分離した少なくとも一つの小側壁と、により画定された側面を含むタバコ製品用硬質パケットが提供され、前記硬質パケットにおいて第一容器および第二容器の前記主側壁は同一凹面および同一曲率半径を有する湾曲壁であり、前記曲率半径は各主側壁の全長に沿って一定であることを特徴とする。
【発明を実施するための最良の形態】
【０００７】
次に添付図面を参照して本発明による幾つかの非制限的形態を例示として説明する。
【０００８】
添付図面において参照番号１は、シート状フォイルに包まれたシガレット群３を収容するための容器２、および容器２が完全に容器４の内側へ挿入される閉鎖位置（図１）と、容器２の一部が容器４から引出される開放位置（図２）との間で容器２を容器４に対して摺動するように、摺動可能に容器２を収容するための容器４を含む。
【０００９】
容器４は実質的平行六面体であり、かつ下端壁５、上端壁６、上下端壁５および６により制限されかつ実質的平行に対峙する主側壁８と、二つの長手縁１０により主側壁８から分離した小側壁９とにより画定された側面７、および小側壁９と平行でありかつ小側壁９の反対側にあって閉鎖位置（図１）と開放位置（図２）間で容器２の通過を可能にする開放端１１を含む。容器４の主側壁８および小側壁９は長手を横切る横縁１２により上下端壁５および６から分離し、かつ横縁１２は、二つの主側壁８と上下端壁５および６との間に位置する主横縁１２と小横縁１２に分割されている。
【００１０】
容器４の二つの主側壁８は同一凹面および同一曲率半径Ｒを有する湾曲壁であり、前記曲率半径は各主側壁８の全長に沿って一定であり、そのようにして二つの主側壁８は等距離にありかつ全長に沿って実質的平行である。他方の壁、即ち上下端壁５および６ならびに小側壁９はフラット壁である。
【００１１】
容器２は、実質的平行六面体であり、かつ下端壁１３、上端壁１４、上下端壁１３および１４により制限されかつ実質的平行に対峙する二つの主側壁１６と、四つの長手縁１８により主側壁１６から分離した平行に対峙する小側壁１７とにより画定された側面１５を含む。容器２の主側壁１６および１７は長手を横切る八つの横縁１９により下端壁１３および上端壁１４から分離し、横縁１９は主側壁１６と上下端壁１３および１４との間に位置する四つの主横縁１９と、小側壁１７と上下端壁１３および１４との間に位置する四つの小横縁１９とに分割されている。
【００１２】
容器２の二つの主側壁１６は同一凹面および同一曲率半径Ｒを有する湾曲壁であり、前記曲率半径は各主側壁１６の全長に沿って一定であり、かつ主側壁８の曲率半径Ｒと同一であり、そのようにして二つの主側壁１６は等距離にありかつ全長に沿って実質的平行である。他方の壁、即ち上下端壁１３および１４ならびに小側壁１７はフラット壁である。
【００１３】
容器２の上端壁１４は開口部２０を含み、開口部２０は主側壁１６にわたって延在し、かつ容器２が開放位置（図２）のときに容器２からのシガレットの抜き取りを可能にする。
【００１４】
容器２の四つの長手縁１８および容器４の二つの長手縁１０は円弧状であって角張った縁でなく、他方、容器２および４の横縁１２および１９は全て角張っている。図示されていない他の形態において、容器４の一つまたはそれ以上の長手縁１０、および／または容器２の一つまたはそれ以上の長手縁１８は角張っていてよい。特に、容器４の長手縁１０および容器２の長手縁１８は全て角張っていてよい。更に、図示されていない他の形態において、容器４の幾つかの横縁１２、および／または容器２の幾つか横縁１９は円弧状であって角のない縁であってよく、そのようにして横縁１２および／または１９、ならびに長手縁１０および／または１８は角のない円弧状縁であってよい。
【００１５】
自明なように、容器２が閉鎖位置（図１）のときに、容器４の各側壁８および９は容器２の対応する側壁１６および１７に整合しかつ対面する。更に具体的には、両容器２および４は、容器２および４を製造するために必要とされる材料の量を最小限にすると同時に、他方で容器２内のシガレット群３、そして容器４内の容器２の移動を最小限にするために、少量の間隙をもってシガレット群３および容器２をそれぞれ収容できる寸法で形成される。自明なように、若干の間隙は、シガレット群３と容器２間で使用者が容器２からシガレットを容易に抜き取れるものでなければならない。更に同様に、若干の間隙は容器２と容器４間で使用者が容器４から容器２を容易に引き出せるものでなければならない。
【００１６】
容器４の主側壁８の長手を横切る寸法（即ち主横縁１２に平行）は、容器２の主側壁１６の対応する長手を横切る寸法（即ち主横縁１２に平行）よりも小さく、そのようにして容器４は、容器２が閉鎖位置（図１および５）のときに容器４の開放端１１に対面する容器２の二つの長手縁１８を覆わない。
【００１７】
容器４の小側壁９は使用者の指の挿入を可能にする形状および寸法の孔２１（図１および５）を含み、かつこの孔の目的は、容器２が閉鎖位置のときに（図１および５）、孔２１に対面する容器２の小側壁１７上に使用者が圧力を加えることができるようにすることにより、容器４からの容器２の脱出を可能にすることにある。
【００１８】
図１から４に示されたパケット１において、小側壁１７は平行であり、容器２の幅、即ち二つの小側壁１７間の間隔は、一定であり、かつ容器２の主側壁は同一寸法である。図５から８のパケット１において、容器２の小側壁１７は、容器２の幅、即ち二つの小側壁１７間の間隔が変化するように一点に集中し、かつ容器２の主側壁が同一寸法でない。更に具体的には、容器２の小側壁１７は主側壁８および１６の曲率半径Ｒの８０％から１２０％の範囲で容器２の重心から間隔をおいた点に向かって集中、即ち収斂している。図５から８のパケット１は、特に、７、７そして６本のシガレットによる三層に配置された２０本のシガレット（個別には図示されていない）により形成される一群３のシガレットを収容するのに好適である。自明なように、６本のシガレット層は容器２の相対的に小さい主側壁１６と接触するように設置される。
【００１９】
図示されていない他の変形態において、容器２の小側壁１７は分岐している。
【００２０】
図示されていない一実施形態において、容器２の各主側壁８は、開放端１１の近くに凹部を含み、この凹部の主目的は、使用者が容器２の主側壁１６を握って引っ張り力を加えることにより、閉鎖位置における容器２の容器４からの引出しを補助することである。
【００２１】
図示されていない一実施形態において、パケット１は、容器４に対する容器２の摺動を制限し、かつそのようにして容器４からの容器２の離脱を阻止するための停止手段を含む。前記停止手段は、容器２のそれぞれの主側壁１６から突出した二つの第一舌部、および容器４のそれぞれの主側壁８から突出した二つの第二舌部により形成される。各第一舌部は容器２のそれぞれの主側壁１６から容器２の外方へ突出し、各第二舌部は容器４のそれぞれの主側壁８から容器４の内方へ突出し、かつ各第一舌部は、容器２が容器４から外方へ摺動するときに第二舌部と係合するように設置されていて、容器２の容器４からの離脱を阻止する。
【００２２】
例示として、添付図面の硬質シガレットパケット１は、８〜１０ｃｍの高さ、４．５〜６ｃｍの幅、そして２〜３ｃｍの厚みを有し、１２〜２０ｃｍの曲率半径で形成されてよい。
【００２３】
試験の結果、主側壁８および１６に曲率半径を付与された解剖学的形態により、上述のシガレットパケット１は使用者にとって扱いが容易でありかつ使用者のポケット内に快適に適合することが証明された。更に、主側壁８および１６の曲率により、パケット１の開放、即ち内容器２と外容器４間の相対的運動が、直線に沿って行われるのでなく、主側壁８および１６の曲率半径Ｒに等しい半径を有する曲線に沿って行われる。この条件は、使用者に不快感を与えることなく、かつパケットの偶発的開放、特に使用者のポケット内での開放を阻止する。
【００２４】
上述のごとくシガレットパケット１の利点に鑑み、パケット１の形態は、シガレットパケット用またはシガーパケット用カートン等の他のタイプのタバコ製品用硬質容器の製造に一体的に適用できる。
【図面の簡単な説明】
【００２５】
【図１】本発明による硬質シガレットパケットの好適形態の閉鎖位置における前方斜視図を示す。
【図２】図１の硬質シガレットパケットの開放位置における前方斜視図を示す。
【図３】図１の硬質シガレットパケットの平面図を示す。
【図４】図２の硬質シガレットパケットの平面図を示す。
【図５】本発明による硬質シガレットパケットの他の形態の閉鎖位置における前方斜視図を示す。
【図６】図５の硬質シガレットパケットの開放位置における前方斜視図を示す。
【図７】図５の硬質シガレットパケットの平面図を示す。
【図８】図６の硬質シガレットパケットの平面図を示す。
【図１】
2006519142.tif 000003
【図３】
2006519142.tif 000004
【図２】
2006519142.tif 000005
【図４】
2006519142.tif 000006
【図５】
2006519142.tif 000007
【図７】
2006519142.tif 000008
【図６】
2006519142.tif 000009
【図８】
2006519142.tif 000010
【国際調査報告】
2006519142.tif 000011
2006519142.tif 000012